(57)【要約】      （修正有）【課題】合唱音声出力制御機能を備えるカラオケシステムに関し、デュエット歌唱や合唱で聴取者に対して自然的に聴取させて臨場感や立体感を好適に演出可能とする。【解決手段】何れか一方のマイクのみから音声入力がある場合に、第１マイク１２又は第２マイク１３からの歌唱音声を第１スピーカ１７及び第２スピーカ１８の両スピーカより出力させ、両方のマイクから同時に音声入力がある場合には、第１マイク１２からの歌唱音声を第１スピーカ１７より出力させ、第２マイク１３からの歌唱音声を第２スピーカ１８より出力させる構成とする。【選択図】図１
2010237597.tif 000002
【特許請求の範囲】
【請求項１】
第１マイク及び第２マイクと第１スピーカ及び第２スピーカを備えたカラオケシステムであって、
マイク入力識別手段及び音声出力制御手段を有し、
前記マイク入力識別手段は、任意の楽曲の演奏中、前記第１マイク及び第２マイクからの音声入力の有無を検知し、前記第１マイク及び第２マイクの両方のマイクから同時に音声入力があるか、あるいは、前記第１マイク又は第２マイクの何れか一方のマイクのみから音声入力があるかを識別し、
前記音声出力制御手段は、前記マイク入力識別手段により、何れか一方のマイクのみから音声入力がある場合には、第１マイク又は第２マイクからの歌唱音声を前記第１スピーカ及び第２スピーカの両スピーカより出力させ、両方のマイクから同時に音声入力がある場合には、第１マイクからの歌唱音声を前記第１スピーカ又は第２スピーカの何れか一方のスピーカより出力させ、第２マイクからの歌唱音声を他方のスピーカより出力させる、
ことを特徴とする合唱音声出力制御機能を備えるカラオケシステム。
【発明の詳細な説明】
【技術分野】
【０００１】
本発明は、カラオケシステムの技術分野に属し、合唱時の歌唱音声のスピーカからの出力を制御するシステムに関する。
【背景技術】
【０００２】
近年、カラオケシステムを備える設備では、歌唱時にデュエットや合唱のような場合などに２本のマイクが使用される。このような場合に、合唱での両方のマイクより同時に入力された歌唱音声をステレオ対応のスピーカからの臨場感や立体感のある歌唱音声の出力が望まれる。
【０００３】
従来、カラオケシステムには、通常、２本のマイクが備えられてデュエット歌唱や合唱に対応させている。また、カラオケシステムにおけるスピーカシステムは、ステレオ対応として少なくとも２つのスピーカより構成されている。
【０００４】
このようなカラオケシステムでは、ソロ歌唱する場合やデュエット歌唱、合唱歌唱する場合に歌唱者により２本の内の何れかのマイクが使用され、あるいは両方のマイクが同時に使用されても左右２本のスピーカから歌唱音声が出力される構成となっている。スピーカ出力だけに関して、例えば、特許文献１のように１本のマイクから歌唱音声を入力しても２つのスピーカより同じ歌唱音声を出力し、これが２本のマイクの両方より歌唱音声が入力された場合であっても同様に２つのスピーカより同じ歌唱音声が出力されるものである。
【先行技術文献】
【特許文献】
【０００５】
【特許文献１】特開２００８−２５７２０６号公報
【発明の概要】
【発明が解決しようとする課題】
【０００６】
しかしながら、上記のようなカラオケシステムにおけるスピーカ出力の態様では、特にデュエット歌唱や合唱歌唱の場合に、実際には二人が左右に別れ、若しくは一方の歌唱者者と他方の一人又は複数人とが左右に別れて歌唱しており、直接的な聴取では左右別々の歌唱であるにも拘わらず、２つのスピーカの中心から歌唱音声が重なった状態で聴取されることとなって、臨場感や立体感が欠けて不自然なものとなるという問題がある。
【０００７】
そこで、本発明は上記課題に鑑みなされたもので、デュエット歌唱や合唱歌唱で聴取者に対して自然的に聴取させて臨場感や立体感を好適に演出可能とする合唱音声出力制御機能を備えるカラオケシステムを提供することを目的とする。
【課題を解決するための手段】
【０００８】
上記課題を解決するために、請求項１の発明では、第１マイク及び第２マイクと第１スピーカ及び第２スピーカを備えたカラオケシステムであって、マイク入力識別手段及び音声出力制御手段を有し、記マイク入力識別手段は、任意の楽曲の演奏中、前記第１マイク及び第２マイクからの音声入力の有無を検知し、前記第１マイク及び第２マイクの両方のマイクから同時に音声入力があるか、あるいは、前記第１マイク又は第２マイクの何れか一方のマイクのみから音声入力があるかを識別し、前記音声出力制御手段は、前記マイク入力識別手段により、何れか一方のマイクのみから音声入力がある場合には、第１マイク又は第２マイクからの歌唱音声を前記第１スピーカ及び第２スピーカの両スピーカより出力させ、両方のマイクから同時に音声入力がある場合には、第１マイクからの歌唱音声を前記第１スピーカ又は第２スピーカの何れか一方のスピーカより出力させ、第２マイクからの歌唱音声を他方のスピーカより出力させる、構成とする。
【発明の効果】
【０００９】
本発明によれば、何れか一方のマイクのみから音声入力がある場合に、第１マイク又は第２マイクからの歌唱音声を第１スピーカ及び第２スピーカの両スピーカより出力させ、両方のマイクから同時に音声入力がある場合には、第１マイクからの歌唱音声を第１スピーカ又は第２スピーカの何れか一方のスピーカより出力させ、第２マイクからの歌唱音声を他方のスピーカより出力させる構成とすることにより、何れか一方のマイクのみから音声入力がある場合では、何れかのマイクより入力した歌唱音声を演奏データとミキシングして第１スピーカ及び第２スピーカの両方より出力させることから、ソロ歌唱時には聴取者に対して通常通りにダイナミックな歌唱音声を演出することができ、また、両方のマイクから同時に音声入力がある場合に、聴取者に対して第１マイク及び第２マイクからの歌唱音声がそれぞれ別々のスピーカより出力されることから、聴取者に自然的な状態で聴取させることができ、臨場感や立体感を好適に演出させることができるものである。
【図面の簡単な説明】
【００１０】
【図１】本発明に係る合唱音声出力制御機能を備えるカラオケシステムの一部ブロック図である。
【図２】図１のマイク入力歌唱状態識別の説明図である。
【図３】図１における合唱識別による歌唱音声出力制御の説明図（１）である。
【図４】図１における合唱識別による歌唱音声出力制御の説明図（２）である。
【図５】図１におけるデュエット曲の歌唱音声出力制御の説明図（３）である。
【発明を実施するための形態】
【００１１】
以下、本発明の実施形態を図により説明する。
図１に、本発明に係る合唱音声出力制御機能を備えるカラオケシステムの一部ブロック図を示すと共に、図２に図１のマイク入力歌唱状態識別の説明図を示す。図１において、カラオケシステム１１は、例えば無線式の第１マイク１２及び第２マイク１３が用意される。第１マイク１２からはマイク入力識別手段２０に第１受信部１５を介して歌唱音声が入力され、第２マイク１３からはマイク入力識別手段２０に第２受信部１６を介して歌唱音声が入力される。
【００１２】
マイク入力識別手段２０は、音声出力制御手段である音声出力制御部１４に対して第１マイク１２，１３からの歌唱音声を別々に出力し、当該音声出力制御部１４にはスピーカシステムとして、少なくとも２つの第１スピーカ１７及び第２スピーカ１８が接続される。
【００１３】
上記マイク入力識別手段２０は、任意の楽曲の演奏中、第１マイク１２及び第２マイク１３からの音声入力の有無を検知し、第１マイク１２及び第２マイク１３の両方のマイクから同時に音声入力があるか、あるいは、第１マイク１２又は第２マイク１３の何れか一方のマイクのみから音声入力があるかを識別するプログラムである。
【００１４】
第１マイク１２及び第２マイク１３の両方のマイクから同時に音声入力があるか否かは、第１受信部１５、第２受信部１６が音声信号を入力したか否かで識別する。例えば、図２に示すように、第１マイク１２又は第２マイク１３の何れかより音声信号を入力した場合にはソロ歌唱と識別し、第１マイク１２及び第２マイク１３より音声信号を同時に入力した場合には合唱と識別して、音声出力制御手段１４に識別信号を出力する。
【００１５】
上記音声出力制御部１４は、第１マイク１２及び／又は第２マイク１３からの歌唱音声と演奏データを音楽演奏制御部１９でデコードした演奏信号とをミキシングし、適宜ボリウムなどのゲイン調整機能で増幅してスピーカシステムの第１及び第２スピーカ１７，１８より出力させることを基本機能とし、上記マイク入力識別手段２０により、何れか一方のマイクのみから音声入力がある場合には、第１マイク１２又は第２マイク１３からの歌唱音声を第１スピーカ１７及び第２スピーカ１８の両スピーカより出力させ、両方のマイクから同時に音声入力がある場合には、第１マイク１２からの歌唱音声を第１スピーカ１７より出力させ、第２マイク１３からの歌唱音声を第２スピーカ１８より出力させる電子回路である。
【００１６】
なお、上記マイク入力識別手段２０において、第１マイク１２からの歌唱音声は第１受信部１５で入力され、第２マイク１３からの歌唱音声は第２受信部１６より入力されることから、何れのマイクからの音声信号かを識別でき、これに応じてマイク入力識別手段２０より入力される歌唱音声を第１スピーカ１７及び第２スピーカ１８に対応付けることができる。
【００１７】
そこで、図３〜図５に、図１における合唱識別による歌唱音声出力制御の説明図を示す。図３（Ａ）、（Ｂ）は、歌唱音声が図２における第１マイク１２から入力された場合を示している。この場合、マイク入力識別手段２０は、第１マイク１２からの歌唱音声を第１受信部１５より受信することから一方からの音声入力としてソロ歌唱と識別する。そして、音声出力制御部１４が、当該識別結果の識別信号に基づいて、スイッチング素子等で第１マイク１２より入力された歌唱音声を第１スピーカ１７及び第２スピーカ１８の両方に送るべく制御し、それぞれで第１マイク１２より入力された歌唱音声と演奏信号とをミキシングし、第１スピーカ１７及び第２スピーカ１８の両方より出力させる。
【００１８】
また、図４（Ａ）、（Ｂ）は、歌唱音声が図２における第２マイク１３から入力された場合を示している。この場合、マイク入力識別手段２０は、第２マイク１３からの歌唱音声を第２受信部１６より受信することから一方からの音声入力としてソロ歌唱と識別する。そして、音声出力制御部１４が、当該識別結果の識別信号に基づいて、スイッチング素子等で第２マイク１３より入力された歌唱音声を第１スピーカ１７及び第２スピーカ１８の両方に送るべく制御し、それぞれで第２マイク１３より入力された歌唱音声と演奏信号とをミキシングし、第１スピーカ１７及び第２スピーカ１８の両方より出力させる。
【００１９】
そして、図５(Ａ）、（Ｂ）は、歌唱音声が図２における第１及び第２マイク１２，１３から同時に入力された場合を示している。この場合、マイク入力識別手段２０は、第１マイク１２からの歌唱音声を第１受信部１５より受信すると共に、第２マイク１３からの歌唱音声を第２受信部１６より受信することから両方からの音声入力として合唱と識別する。そして、音声出力制御部１４が、当該識別結果の識別信号に基づいて、スイッチング素子等で第１マイク１２より入力された歌唱音声を第１スピーカ１７側のみに送り、第２マイク１３より入力された音声信号を第２スピーカ１８側のみに送るべく制御し、第１マイク１２より入力された歌唱音声と演奏信号とをミキシングして第１スピーカ１７より出力させると共に、第２マイク１３より入力された歌唱音声と演奏信号とをミキシングして第２スピーカ１８より出力させるものである。
【００２０】
このように、何れか一方のマイクのみから音声入力があるソロ歌唱の場合では、何れかのマイクより入力した歌唱音声を演奏信号とミキシングして第１スピーカ１７及び第２スピーカ１８の両方より出力させることから、ソロ時には聴取者に対して通常通りにダイナミックな歌唱音声を演出することができ、また、合唱では聴取者に対して第１マイク１２及び第２マイク１３からの歌唱音声がそれぞれ別々に第１スピーカ１７及び第２スピーカ１８より出力されることから、聴取者に自然的な状態で聴取させることができ、臨場感や立体感を好適に演出させることができるものである。
【産業上の利用可能性】
【００２１】
本発明の合唱音声出力制御機能を備えるカラオケシステムは、カラオケの基本的機能を備えるカラオケ機器製造の分野に利用可能である。
【符号の説明】
【００２２】
１１            カラオケシステム
１２            第１マイク
１３            第２マイク
１４            音声出力制御部
１７            第１スピーカ
１８            第２スピーカ
２０            マイク入力識別手段
【図１】
2010237597.tif 000003
【図２】
2010237597.tif 000004
【図３】
2010237597.tif 000005
【図４】
2010237597.tif 000006
【図５】
2010237597.tif 000007